(57)【特許請求の範囲】
【請求項１】
缶切りを含み、前記缶切りの中には缶切り空間が設置され、前記缶切り空間の中には切替機構が設置され、前記切替機構は台形ブロックと円錐形ブロックとが設置され、前記台形ブロックは前記円錐形ブロックによって制限されて片方向へしか回転できなく、前記切替機構はさらに傾斜ブロックと運動磁石とを含み、前記台形ブロックは前記缶切り空間の中にあるときに前記傾斜ブロックを押して前記運動磁石から離脱させられ、前記切替機構の右側には栓抜機構が回転可能に設置され、前記栓抜機構は回転磁石と栓抜軸とを含み、前記回転磁石が回転することで前記運動磁石を駆動して運動させられ、前記栓抜機構の上側には動力機構が設置され、前記動力機構は片方向ブロックと圧迫棒とを含み、前記片方向ブロックが回転することで制限溝に入って前記栓抜軸を駆動して回転させられ、前記圧迫棒が降下することで前記片方向ブロックを駆動して上昇させられ、
前記台形ブロックと前記円錐形ブロックとが協働して前記切替機構を駆動して作動させられることを特徴とする多機能缶切り。
【請求項２】
前記切替機構は切断刃を含み、前記缶切り空間の下面には台形溝が形成され、前記台形溝の端壁にはゴムが固定され、前記缶切り空間の片壁には環状溝が形成され、前記環状溝の端壁には六つの円錐形ブロックが環状になるように固定的に配列され、前記環状溝と前記缶切り空間との間には搬入溝が形成され、前記環状溝には環状ブロックが回転可能に設置され、前記環状ブロックの中には圧力溝が形成され、前記圧力溝の片壁には圧力ばねが固定され、前記圧力ばねの一端には他端が前記缶切り空間の中に位置する前記台形ブロックが固定され、前記缶切り空間の後壁には中心棒が固定され、前記中心棒には傾斜ブロックが回転可能に設置され、前記中心棒と前記傾斜ブロックとの間には回転ばねが設置され、前記缶切り空間の端壁には螺旋溝が形成され、前記螺旋溝の中には弧状ブロックが摺動可能に設置され、前記弧状ブロックの片面には細棒が固定され、前記細棒の他端には前記切断刃が固定され、前記切断刃の他面には運動磁石が固定され
前記環状ブロックを押して回転させ、前記台形ブロックと前記円錐形ブロックの形状による協働で台形ブロックは往復に運動し、前記弧状ブロックは前記螺旋溝の中で運動できることを特徴とする請求項１に記載の多機能缶切り。
【請求項３】
前記動力機構は昇降軸を含み、前記缶切り空間の上壁には插入溝が形成され、前記插入溝の片壁には機能溝が形成され、前記插入溝の中には中空軸が貫通になるように且つ摺動可能に設置され、前記中空軸には回転ブロックが四つ均一に固定的に設置され、前記缶切り空間において前記中空軸には円ブロックが固定され、前記中空軸の下面には収納溝が形成され、前記収納溝の上壁には開口溝が形成され、前記開口溝の片壁には弾性溝が形成され、前記弾性溝の下壁には弾性ばねが固定され、前記弾性ばねの上端には弾性棒が固定され、前記弾性棒の他面には前記圧迫棒が固定され、前記収納溝の後壁には伝動軸が回転可能に設置され、前記伝動軸には伝動歯車が固定され、前記収納溝の両壁には昇降溝が対称になるように形成され、前記昇降溝の中には方形ブロックが摺動可能に設置され、二つの前記方形ブロックにはともに一本の昇降軸が固定され、前記昇降軸の上面には前記伝動歯車と噛み合った伝動棒が固定され、前記昇降軸の中には片方向溝が環状になるように配列され、前記片方向溝の中には位置制限棒が固定され、前記位置制限棒には前記片方向ブロックが回転可能に設置され、前記位置制限棒と前記片方向ブロックとの間には片方向ばねが設置され、
前記回転ブロックを押すことで、前記中空軸は駆動されて回転し、前記昇降軸を駆動して回転させることを特徴とする請求項１に記載の多機能缶切り。
【請求項４】
前記栓抜機構は螺旋鋼を含み、前記缶切り空間の後壁には溝ブロックが固定され、前記溝ブロックの中には前記溝ブロックを貫通するネジ山ブロックがネジ山で連結され、前記ネジ山ブロックの中には前記栓抜軸が固定され、前記栓抜軸の下面には前記螺旋鋼が固定され、前記栓抜軸の上面には前記制限溝が形成され、前記制限溝の端壁にはＬ型ブロックが三つ環状になるように固定的に配列され、前記栓抜軸には妨害板が固定され、前記妨害板の下側には前記栓抜軸と固定された支持棒が設置され、前記支持棒の上面には縦棒が固定され、前記縦棒には前記回転磁石が回転可能に設置され、前記縦棒と前記回転磁石との間には縦ばねが設置され、
前記栓抜軸が回転し、前記ネジ山ブロックと前記溝ブロックとのネジ山による連結で、前記栓抜軸はさらに螺旋になるように降下し、前記螺旋鋼を駆動して降下させることを特徴とする請求項１に記載の多機能缶切り。
【発明の詳細な説明】
【技術分野】
【０００１】
本願発明は日用工具分野を取り上げ、特に多機能缶切りに関わる。
【背景技術】
【０００２】
缶切りとは、缶詰の蓋を切断しながら開封するために用いる道具であり、基本的には刃物によって構成され、しかし、既存する缶切りの機能性が単一で、異なるタイプの缶詰に対し、異なる缶切りを使用しなければならない。そのため、多くの缶切りは厨房のスペースをしめ、使用もまた繁雑となる。
【先行技術文献】
【特許文献】
【０００３】
【特許文献１】中国特許出願公開第１０６６７２８７５号明細書
【発明の概要】
【発明が解決しようとする課題】
【０００４】
多機能缶切りを提供し、上記問題を解決することを目的とする。
【課題を解決するための手段】
【０００５】
上記の問題を解決するため、本願発明は以下の技術的解決策を提供する：本願に記載の多機能缶切りは、缶切りを含み、前記缶切りの中には缶切り空間が設置され、前記缶切り空間の中には切替機構が設置され、前記切替機構は台形ブロックと円錐形ブロックとが設置され、前記台形ブロックは前記円錐形ブロックによって制限されて片方向へしか回転できなく、前記切替機構はさらに傾斜ブロックと運動磁石とを含み、前記台形ブロックは前記缶切り空間の中にあるときに前記傾斜ブロックを押して前記運動磁石から離脱させられ、前記切替機構の右側には栓抜機構が回転可能に設置され、前記栓抜機構は回転磁石と栓抜軸とを含み、前記回転磁石が回転することで前記運動磁石を駆動して運動させられ、前記栓抜機構の上側には動力機構が設置され、前記動力機構は片方向ブロックと圧迫棒とを含み、前記片方向ブロックが回転することで制限溝に入って前記栓抜軸を駆動して回転させられ、前記圧迫棒が降下することで前記片方向ブロックを駆動して上昇させられる。
【０００６】
好ましくは、前記切替機構は切断刃を含み、前記缶切り空間の下面には台形溝が形成され、前記台形溝の端壁にはゴムが固定され、前記缶切り空間の片壁には環状溝が形成され、前記環状溝の端壁には六つの円錐形ブロックが環状になるように固定的に配列され、前記環状溝と前記缶切り空間との間には搬入溝が形成され、前記環状溝には環状ブロックが回転可能に設置され、前記環状ブロックの中には圧力溝が形成され、前記圧力溝の片壁には圧力ばねが固定され、前記圧力ばねの一端には他端が前記缶切り空間の中に位置する前記台形ブロックが固定され、前記缶切り空間の後壁には中心棒が固定され、前記中心棒には傾斜ブロックが回転可能に設置され、前記中心棒と前記傾斜ブロックとの間には回転ばねが設置され、前記缶切り空間の端壁には螺旋溝が形成され、前記螺旋溝の中には弧状ブロックが摺動可能に設置され、前記弧状ブロックの片面には細棒が固定され、前記細棒の他端には前記切断刃が固定され、前記切断刃の他面には運動磁石が固定されている。
【０００７】
好ましくは、前記動力機構は昇降軸を含み、前記缶切り空間の上壁には插入溝が形成され、前記插入溝の片壁には機能溝が形成され、前記插入溝の中には中空軸が貫通になるように且つ摺動可能に設置され、前記中空軸には回転ブロックが四つ均一に固定的に設置され、前記缶切り空間において前記中空軸には円ブロックが固定され、前記中空軸の下面には収納溝が形成され、前記収納溝の上壁には開口溝が形成され、前記開口溝の片壁には弾性溝が形成され、前記弾性溝の下壁には弾性ばねが固定され、前記弾性ばねの上端には弾性棒が固定され、前記弾性棒の他面には前記圧迫棒が固定され、前記収納溝の後壁には伝動軸が回転可能に設置され、前記伝動軸には伝動歯車が固定され、前記収納溝の両壁には昇降溝が対称になるように形成され、前記昇降溝の中には方形ブロックが摺動可能に設置され、二つの前記方形ブロックにはともに一本の昇降軸が固定され、前記昇降軸の上面には前記伝動歯車と噛み合った伝動棒が固定され、前記昇降軸の中には片方向溝が環状になるように配列され、前記片方向溝の中には位置制限棒が固定され、前記位置制限棒には前記片方向ブロックが回転可能に設置され、前記位置制限棒と前記片方向ブロックとの間には片方向ばねが設置されている。
【０００８】
好ましくは、前記栓抜機構は螺旋鋼を含み、前記缶切り空間の後壁には溝ブロックが固定され、前記溝ブロックの中には前記溝ブロックを貫通するネジ山ブロックがネジ山で連結され、前記ネジ山ブロックの中には前記栓抜軸が固定され、前記栓抜軸の下面には前記螺旋鋼が固定され、前記栓抜軸の上面には前記制限溝が形成され、前記制限溝の端壁にはＬ型ブロックが三つ環状になるように固定的に配列され、前記栓抜軸には妨害板が固定され、前記妨害板の下側には前記栓抜軸と固定された支持棒が設置され、前記支持棒の上面には縦棒が固定され、前記縦棒には前記回転磁石が回転可能に設置され、前記縦棒と前記回転磁石との間には縦ばねが設置されている。
【発明の効果】
【０００９】
本発明は以下のプラス効果を有する：本願発明はシンプルな構成と簡単な操作方法を有し、異なるタイプの缶詰に対応すべく、多種多様の蓋開け方を提供し、工具の数を制限し、機能も豊かであり、コストとスペースの占めを抑えられる。
【図面の簡単な説明】
【００１０】
下記に図１〜５を合わせて本発明について詳しく説明し、便利に説明するために、下記の方向を以下のように規定する：図１は本発明装置の正面図であり、本願に記載の各方向は、図１における観察方向と同じである。
【００１１】
【図１】図１は本願発明の全体断面の正面構成略図
【図２】図２は本願発明における圧迫棒の正面拡大構成略図
【図３】図３は本願発明における栓抜軸の正面拡大構成略図
【図４】図４は本願発明における制限溝の上面断面構成略図
【図５】図５は本願発明における台形ブロックの上面断面構成略図
【発明を実施するための形態】
【００１２】
図１〜図５を合わせ、本願に記載の多機能缶切りは、缶切り１０を含み、前記缶切り１０の中には缶切り空間１１が設置され、前記缶切り空間１１の中には切替機構６０が設置され、前記切替機構６０は台形ブロック２２と円錐形ブロック３３とが設置され、前記台形ブロック２２は前記円錐形ブロック３３によって制限されて片方向へしか回転できなく、前記切替機構６０はさらに傾斜ブロック１６と運動磁石１５とを含み、前記台形ブロック２２は前記缶切り空間１１の中にあるときに前記傾斜ブロック１６を押して前記運動磁石１５から離脱させられ、前記切替機構６０の右側には栓抜機構６２が回転可能に設置され、前記栓抜機構６２は回転磁石５６と栓抜軸３５とを含み、前記回転磁石５６が回転することで前記運動磁石１５を駆動して運動させられ、前記栓抜機構６２の上側には動力機構６１が設置され、前記動力機構６１は片方向ブロック５３と圧迫棒２８とを含み、前記片方向ブロック５３が回転することで制限溝５５に入って前記栓抜軸３５を駆動して回転させられ、前記圧迫棒２８が降下することで前記片方向ブロック５３を駆動して上昇させられる。
【００１３】
好ましくは、前記切替機構６０は切断刃３９を含み、前記缶切り空間１１の下面には台形溝３８が形成され、前記台形溝３８の端壁にはゴム４０が固定され、前記缶切り空間１１の片壁には環状溝２０が形成され、前記環状溝２０の端壁には六つの円錐形ブロック３３が環状になるように固定的に配列され、前記環状溝２０と前記缶切り空間１１との間には搬入溝２１が形成され、前記環状溝２０には環状ブロック１９が回転可能に設置され、前記環状ブロック１９の中には圧力溝１８が形成され、前記圧力溝１８の片壁には圧力ばね１７が固定され、前記圧力ばね１７の一端には他端が前記缶切り空間１１の中に位置する前記台形ブロック２２が固定され、前記缶切り空間１１の後壁には中心棒２４が固定され、前記中心棒２４には傾斜ブロック１６が回転可能に設置され、前記中心棒２４と前記傾斜ブロック１６との間には回転ばね２３が設置され、前記缶切り空間１１の端壁には螺旋溝１２が形成され、前記螺旋溝１２の中には弧状ブロック１４が摺動可能に設置され、前記弧状ブロック１４の片面には細棒１３が固定され、前記細棒１３の他端には前記切断刃３９が固定され、前記切断刃３９の他面には運動磁石１５が固定されている。
【００１４】
好ましくは、前記動力機構６１は昇降軸２９を含み、前記缶切り空間１１の上壁には插入溝２６が形成され、前記插入溝２６の片壁には機能溝３１が形成され、前記插入溝２６の中には中空軸４１が貫通になるように且つ摺動可能に設置され、前記中空軸４１には回転ブロック７０が四つ均一に固定的に設置され、前記缶切り空間１１において前記中空軸４１には円ブロック３０が固定され、前記中空軸４１の下面には収納溝４２が形成され、前記収納溝４２の上壁には開口溝４６が形成され、前記開口溝４６の片壁には弾性溝４４が形成され、前記弾性溝４４の下壁には弾性ばね４３が固定され、前記弾性ばね４３の上端には弾性棒４５が固定され、前記弾性棒４５の他面には前記圧迫棒２８が固定され、前記収納溝４２の後壁には伝動軸４８が回転可能に設置され、前記伝動軸４８には伝動歯車４７が固定され、前記収納溝４２の両壁には昇降溝２５が対称になるように形成され、前記昇降溝２５の中には方形ブロック２７が摺動可能に設置され、二つの前記方形ブロック２７にはともに一本の昇降軸２９が固定され、前記昇降軸２９の上面には前記伝動歯車４７と噛み合った伝動棒４９が固定され、前記昇降軸２９の中には片方向溝５１が環状になるように配列され、前記片方向溝５１の中には位置制限棒５２が固定され、前記位置制限棒５２には前記片方向ブロック５３が回転可能に設置され、前記位置制限棒５２と前記片方向ブロック５３との間には片方向ばね５４が設置されている。
【００１５】
好ましくは、前記栓抜機構６２は螺旋鋼３６を含み、前記缶切り空間１１の後壁には溝ブロック３４が固定され、前記溝ブロック３４の中には前記溝ブロック３４を貫通するネジ山ブロック３２がネジ山で連結され、前記ネジ山ブロック３２の中には前記栓抜軸３５が固定され、前記栓抜軸３５の下面には前記螺旋鋼３６が固定され、前記栓抜軸３５の上面には前記制限溝５５が形成され、前記制限溝５５の端壁にはＬ型ブロック５０が三つ環状になるように固定的に配列され、前記栓抜軸３５には妨害板３７が固定され、前記妨害板３７の下側には前記栓抜軸３５と固定された支持棒５８が設置され、前記支持棒５８の上面には縦棒５９が固定され、前記縦棒５９には前記回転磁石５６が回転可能に設置され、前記縦棒５９と前記回転磁石５６との間には縦ばね５７が設置されている。
【００１６】
以下に、図１〜図５を参照し、さらに上記した本願発明の具体的構成を交え、本願発明の使用方法について詳しく説明する。
【００１７】
密封の鉄製缶詰を開けようとするとき、前記回転ブロック７０を回し、前記片方向ブロック５３を前記制限溝５５に入らせ、そして前記栓抜軸３５は駆動されて回転し、前記ネジ山ブロック３２と前記溝ブロック３４とのネジ山による連結で、前記回転磁石５６は駆動されて螺旋になるように降下し、前記回転磁石５６と前記運動磁石１５とは磁力によって吸引できるため、前記運動磁石１５は駆動されて前記螺旋溝１２の中で螺旋になるように降下し、前記切断刃３９も螺旋になるように降下し、鉄製缶詰を切断し、
オーク製又はゴム製の栓がついた缶詰を開けようとするとき、前記環状ブロック１９を押し、前記台形ブロック２２を前記缶切り空間１１から離脱させ、前記回転ばね２３は復位し、前記傾斜ブロック１６を駆動して反時計回り方向へ前記運動磁石１５の前側まで回転させ、前記回転ブロック７０を回し、前記栓抜軸３５を駆動して螺旋になるように回転させ、ここで、前記回転磁石５６は前記傾斜ブロック１６に妨害されて回転し、前記運動磁石１５を押し動かせなく、前記栓抜軸３５は前記螺旋鋼３６を駆動して栓に入らせ、そして前記螺旋鋼３６を逆回転させて缶詰を開け、
缶ビールタイプの缶詰を開けようとするとき、前記回転ブロック７０を押して前記機能溝３１に入らせ、前記昇降軸２９は重力によって缶詰の開口下に降下し、前記圧迫棒２８を押し、前記圧迫棒２８と、前記伝動棒４９と、前記伝動歯車４７との噛み合いによって、前記栓抜軸３５は駆動されて上昇し、そして前記片方向ブロック５３を駆動して上昇させて缶詰を開ける。
【００１８】
以上に述べたのは本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【要約】
【課題】本願は多機能缶切りを開示した。
【解決手段】
本願は多機能缶切りを開示し、前記缶切りの中には缶切り空間が設置され、前記缶切り空間の中には切替機構が設置され、前記切替機構は台形ブロックと円錐形ブロックとが設置され、前記台形ブロックは前記円錐形ブロックによって制限されて片方向へしか回転できなく、前記切替機構はさらに傾斜ブロックと運動磁石とを含み、前記台形ブロックは前記缶切り空間の中にあるときに前記傾斜ブロックを押して前記運動磁石から離脱させられ、本願発明はシンプルな構成と簡単な操作方法を有し、異なるタイプの缶詰に対応すべく、多種多様の蓋開け方を提供し、工具の数を制限し、機能も豊かであり、コストとスペースの占めを抑えられる。
【選択図】図１【図１】
0006788158.tif 000002
【図２】
0006788158.tif 000003
【図３】
0006788158.tif 000004
【図４】
0006788158.tif 000005
【図５】
0006788158.tif 000006